(57)【要約】【課題】複数種類の用紙を用いた印刷処理を実行する場合であっても、ユーザが、所望の色変換プロファイルを容易に設定することができる色変換設定プログラムを提供する。【解決手段】本発明の色変換設定プログラムは、色を変換するための変換データを有する少なくとも１種類の色変換プロファイルを印刷される用紙の種類に応じて色変換処理に適用するための、用紙の種類と関連付けられた複数のプロファイルセットを作成する手順（ａ）と、用紙の種類と関連付けられた複数のプロファイルセットを含み色変換処理時に印刷ジョブ単位で使用される色設定情報を作成する手順（ｂ）と、手順（ｂ）において作成された色設定情報を、色変換処理時に色設定情報の呼び出し元となる記憶部に登録するための制御を行う手順（ｃ）と、をコンピュータに実行させる。【選択図】図８
2010263368.tif 000002
【特許請求の範囲】
【請求項１】
色を変換するための変換データを有する少なくとも１種類の色変換プロファイルを印刷される用紙の種類に応じて色変換処理に適用するための、当該用紙の種類と関連付けられた複数のプロファイルセットを作成する手順（ａ）と、
前記用紙の種類と関連付けられた複数のプロファイルセットを含み色変換処理時に印刷ジョブ単位で使用される色設定情報を作成する手順（ｂ）と、
前記手順（ｂ）において作成された色設定情報を、色変換処理時に当該色設定情報の呼び出し元となる記憶部に登録するための制御を行う手順（ｃ）と、
をコンピュータに実行させることを特徴とする色変換設定プログラム。
【請求項２】
前記手順（ａ）において、同一の種類の用紙に対して複数のプロファイルセットが作成され、
前記色変換設定プログラムは、前記手順（ｂ）の前に、
前記手順（ａ）において作成された複数のプロファイルセットの中から、前記色設定情報に含めるべき複数のプロファイルセットについてのユーザによる選択を受付ける手順（ｄ）を前記コンピュータにさらに実行させ、
前記手順（ｂ）において、前記手順（ｄ）において受付けられた複数のプロファイルセットを含む前記色設定情報が作成されることを特徴とする請求項１に記載の色変換設定プログラム。
【請求項３】
前記手順（ｄ）は、
前記手順（ａ）において作成された複数のプロファイルセットの中から、共通の色変換特性を有するプロファイルセットを抽出する手順（ｄ１）と、
前記手順（ｄ１）において抽出されたプロファイルセットの中から、前記色設定情報に含めるべきプロファイルセットについての前記ユーザによる選択を受付ける手順（ｄ２）と、を有することを特徴とする請求項２に記載の色変換設定プログラム。
【請求項４】
前記プロファイルセットは、ＲＧＢ形式の画像データの色変換処理に適用される色変換プロファイルであるＲＧＢプロファイルと、ＣＭＹＫ形式の画像データの色変換処理に適用される色変換プロファイルであるＣＭＹＫプロファイルと、前記ＲＧＢプロファイルまたはＣＭＹＫプロファイルを適用して処理された画像データの色変換処理に適用される色変換プロファイルであるデスティネーションプロファイルと、を含み、
前記手順（ｄ１）において、前記複数のプロファイルセットの中から、同一の変換データを有するＲＧＢプロファイルおよびＣＭＹＫプロファイルを含むプロファイルセットが抽出されることを特徴とする請求項３に記載の色変換設定プログラム。
【請求項５】
前記プロファイルセットは、デバイス間の直接的な色変換処理に適用される色変換プロファイルであるデバイスリンクプロファイルを含み、前記デバイスリンクプロファイルには、色を補正する補正処理の設定が可能であり、
前記手順（ｄ１）において、前記複数のプロファイルセットの中から、同一の前記補正処理が設定されているデバイスリンクプロファイルを含むプロファイルセットが抽出されることを特徴とする請求項３に記載の色変換設定プログラム。
【請求項６】
前記デバイスリンクプロファイルは、画像データを構成する複数種類のオブジェクト別に作成された複数のデバイスリンクプロファイルを含み、
前記手順（ｄ１）において、前記オブジェト別に作成された複数のデバイスリンクプロファイルに対して前記同一の補正処理が設定されている前記プロファイルセットが抽出されることを特徴とする請求項５に記載の色変換設定プログラム。
【請求項７】
請求項１〜６のいずれか１項に記載の色変換設定プログラムを記録したコンピュータ読み取り可能な記録媒体。
【請求項８】
色を変換するための変換データを有する少なくとも１種類の色変換プロファイルを印刷される用紙の種類に応じて色変換処理に適用するための、当該用紙の種類と関連付けられた複数のプロファイルセットを作成するステップ（ａ）と、
前記用紙の種類と関連付けられた複数のプロファイルセットを含み色変換処理時に印刷ジョブ単位で使用される色設定情報を作成するステップ（ｂ）と、
前記ステップ（ｂ）において作成された色設定情報を、色変換処理時に当該色設定情報の呼び出し元となる記憶部に登録するための制御を行うステップ（ｃ）と、
を有することを特徴とする色変換設定方法。
【請求項９】
前記ステップ（ａ）において、同一の種類の用紙に対して複数のプロファイルセットが作成され、
前記色変換設定方法は、前記ステップ（ｂ）の前に、
前記ステップ（ａ）において作成された複数のプロファイルセットの中から、前記色設定情報に含めるべき複数のプロファイルセットについてのユーザによる選択を受付けるステップ（ｄ）をさらに有し、
前記ステップ（ｂ）において、前記ステップ（ｄ）において受付けられた複数のプロファイルセットを含む前記色設定情報が作成されることを特徴とする請求項８に記載の色変換設定方法。
【請求項１０】
前記ステップ（ｄ）は、
前記ステップ（ａ）において作成された複数のプロファイルセットの中から、共通の色変換特性を有するプロファイルセットを抽出するステップ（ｄ１）と、
前記ステップ（ｄ１）において抽出されたプロファイルセットの中から、前記色設定情報に含まれるべきプロファイルセットについての前記ユーザによる選択を受付けるステップ（ｄ２）と、を有することを特徴とする請求項９に記載の色変換設定方法。
【請求項１１】
前記プロファイルセットは、ＲＧＢ形式の画像データの色変換処理に適用される色変換プロファイルであるＲＧＢプロファイルと、ＣＭＹＫ形式の画像データの色変換処理に適用される色変換プロファイルであるＣＭＹＫプロファイルと、前記ＲＧＢプロファイルまたはＣＭＹＫプロファイルを適用して処理された画像データの色変換処理に適用される色変換プロファイルであるデスティネーションプロファイルと、を含み、
前記ステップ（ｄ１）において、前記複数のプロファイルセットの中から、同一の変換データを有するＲＧＢプロファイルおよびＣＭＹＫプロファイルを含むプロファイルセットが抽出されることを特徴とする請求項１０に記載の色変換設定方法。
【請求項１２】
前記プロファイルセットは、デバイス間の直接的な色変換処理に適用される色変換プロファイルであるデバイスリンクプロファイルを含み、前記デバイスリンクプロファイルには、色を補正する補正処理の設定が可能であり、
前記ステップ（ｄ１）において、前記複数のプロファイルセットの中から、同一の前記補正処理が設定されているデバイスリンクプロファイルを含むプロファイルセットが抽出されることを特徴とする請求項１０に記載の色変換設定方法。
【請求項１３】
前記デバイスリンクプロファイルは、画像データを構成する複数種類のオブジェクト別に作成された複数のデバイスリンクプロファイルを含み、
前記ステップ（ｄ１）において、前記オブジェト別に作成された複数のデバイスリンクプロファイルに対して前記同一の補正処理が設定されている前記プロファイルセットが抽出されることを特徴とする請求項１２に記載の色変換設定方法。
【請求項１４】
用紙の種類と関連付けられた複数のプロファイルセットを含み色変換処理時に印刷ジョブ単位で使用される複数の色設定情報を記憶部に登録する手順（ａ）と、
前記記憶部に登録されている前記複数の色設定情報のうち、ユーザにより指定された一の色設定情報を示す特定情報を含む印刷ジョブを受信する手順（ｂ）と、
前記手順（ｂ）において受信された前記印刷ジョブに含まれる前記特定情報により特定される前記色設定情報を、前記記憶部から呼び出す手順（ｃ）と、
前記手順（ｃ）において呼び出された前記色設定情報に含まれるプロファイルセットの色変換プロファイルを使用して、前記プロファイルセットが関連付けられた用紙に印刷される画像の画像データに対する色変換処理を実行する手順（ｄ）と、
をコンピュータに実行させることを特徴とする色変換処理プログラム。
【請求項１５】
請求項１４に記載の色変換処理プログラムを記録したコンピュータ読み取り可能な記録媒体。
【請求項１６】
用紙の種類と関連付けられた複数のプロファイルセットを含み色変換処理時に印刷ジョブ単位で使用される複数の色設定情報を登録している記憶部と、
前記記憶部に登録されている前記複数の色設定情報のうち、ユーザにより指定された一の色設定情報を示す特定情報を含む印刷ジョブを受信する受信部と、
前記受信部により受信された前記印刷ジョブに含まれる前記特定情報により特定される前記色設定情報を、前記記憶部から呼び出す呼出部と、
前記呼出部により呼び出された前記色設定情報に含まれるプロファイルセットの色変換プロファイルを使用して、前記プロファイルセットが関連付けられた用紙に印刷される画像の画像データに対する色変換処理を実行する色変換部と、
を有することを特徴とする色変換処理装置。
【発明の詳細な説明】
【技術分野】
【０００１】
本発明は、色変換設定プログラム、色変換設定方法、色変換処理プログラム、および色変換処理装置に関する。本発明は、特に、色変換プロファイルを使用して色変換処理を実行するための色変換設定プログラム、色変換設定方法、色変換処理プログラム、および色変換処理装置に関する。
【背景技術】
【０００２】
パソコン、プリンタ、およびデジタルカメラ等のデジタル処理機器の間で、カラー画像を伝達する場合、各デバイスの特有の色空間特性を考慮して画像データの色を調整する必要がある。画像データの色の調整には、色変換テーブルを有する色変換プロファイルが使用される。
【０００３】
これに関連する技術として、画像データの出力における色相調整を容易にする見地から、下記の特許文献１に示すような画像処理装置が提案されている。特許文献１に開示されている画像処理装置は、出力する画像データの色設定情報を調整する色設定調整手段と、調整された色設定情報をカラープロファイルに保存する色設定保存手段と、を有する。このような構成によれば、ユーザにより行われた色相調整が色設定情報としてカラープロファイルに保存されるため、他の画像データをアプリケーションから印刷出力する場合、再度同様の色相調整を行う必要がなくなる。
【０００４】
しかしながら、色変換プロファイルは、画像が印刷される用紙の種類に応じて設定される。したがって、ユーザは、複数種類の用紙を用いた印刷処理を実行する場合には、用紙の種類を考慮して、色変換プロファイルを個別に設定する必要がある。
【先行技術文献】
【特許文献】
【０００５】
【特許文献１】特開２００８−２５９１３７号公報
【発明の概要】
【発明が解決しようとする課題】
【０００６】
本発明は、上述した課題に鑑みてなされたものである。したがって、本発明の目的は、複数種類の用紙を用いた印刷処理を実行する場合であっても、ユーザが、所望の色変換プロファイルを容易に設定することができる色変換設定プログラム、色変換設定方法、色変換処理プログラム、および色変換処理装置を提供することである。
【課題を解決するための手段】
【０００７】
本発明の上記目的は、下記の手段によって達成される。
【０００８】
（１）色を変換するための変換データを有する少なくとも１種類の色変換プロファイルを印刷される用紙の種類に応じて色変換処理に適用するための、当該用紙の種類と関連付けられた複数のプロファイルセットを作成する手順（ａ）と、前記用紙の種類と関連付けられた複数のプロファイルセットを含み色変換処理時に印刷ジョブ単位で使用される色設定情報を作成する手順（ｂ）と、前記手順（ｂ）において作成された色設定情報を、色変換処理時に当該色設定情報の呼び出し元となる記憶部に登録するための制御を行う手順（ｃ）と、をコンピュータに実行させることを特徴とする色変換設定プログラム。
【０００９】
（２）前記手順（ａ）において、同一の種類の用紙に対して複数のプロファイルセットが作成され、前記色変換設定プログラムは、前記手順（ｂ）の前に、前記手順（ａ）において作成された複数のプロファイルセットの中から、前記色設定情報に含めるべき複数のプロファイルセットについてのユーザによる選択を受付ける手順（ｄ）を前記コンピュータにさらに実行させ、前記手順（ｂ）において、前記手順（ｄ）において受付けられた複数のプロファイルセットを含む前記色設定情報が作成されることを特徴とする上記（１）に記載の色変換設定プログラム。
【００１０】
（３）前記手順（ｄ）は、前記手順（ａ）において作成された複数のプロファイルセットの中から、共通の色変換特性を有するプロファイルセットを抽出する手順（ｄ１）と、前記手順（ｄ１）において抽出されたプロファイルセットの中から、前記色設定情報に含めるべきプロファイルセットについての前記ユーザによる選択を受付ける手順（ｄ２）と、を有することを特徴とする上記（２）に記載の色変換設定プログラム。
【００１１】
（４）前記プロファイルセットは、ＲＧＢ形式の画像データの色変換処理に適用される色変換プロファイルであるＲＧＢプロファイルと、ＣＭＹＫ形式の画像データの色変換処理に適用される色変換プロファイルであるＣＭＹＫプロファイルと、前記ＲＧＢプロファイルまたはＣＭＹＫプロファイルを適用して処理された画像データの色変換処理に適用される色変換プロファイルであるデスティネーションプロファイルと、を含み、前記手順（ｄ１）において、前記複数のプロファイルセットの中から、同一の変換データを有するＲＧＢプロファイルおよびＣＭＹＫプロファイルを含むプロファイルセットが抽出されることを特徴とする上記（３）に記載の色変換設定プログラム。
【００１２】
（５）前記プロファイルセットは、デバイス間の直接的な色変換処理に適用される色変換プロファイルであるデバイスリンクプロファイルを含み、前記デバイスリンクプロファイルには、色を補正する補正処理の設定が可能であり、前記手順（ｄ１）において、前記複数のプロファイルセットの中から、同一の前記補正処理が設定されているデバイスリンクプロファイルを含むプロファイルセットが抽出されることを特徴とする上記（３）に記載の色変換設定プログラム。
【００１３】
（６）前記デバイスリンクプロファイルは、画像データを構成する複数種類のオブジェクト別に作成された複数のデバイスリンクプロファイルを含み、前記手順（ｄ１）において、前記オブジェト別に作成された複数のデバイスリンクプロファイルに対して前記同一の補正処理が設定されている前記プロファイルセットが抽出されることを特徴とする上記（５）に記載の色変換設定プログラム。
【００１４】
（７）上記（１）〜（６）のいずれか一つに記載の色変換設定プログラムを記録したコンピュータ読み取り可能な記録媒体。
【００１５】
（８）色を変換するための変換データを有する少なくとも１種類の色変換プロファイルを印刷される用紙の種類に応じて色変換処理に適用するための、当該用紙の種類と関連付けられた複数のプロファイルセットを作成するステップ（ａ）と、前記用紙の種類と関連付けられた複数のプロファイルセットを含み色変換処理時に印刷ジョブ単位で使用される色設定情報を作成するステップ（ｂ）と、前記ステップ（ｂ）において作成された色設定情報を、色変換処理時に当該色設定情報の呼び出し元となる記憶部に登録するための制御を行うステップ（ｃ）と、を有することを特徴とする色変換設定方法。
【００１６】
（９）前記ステップ（ａ）において、同一の種類の用紙に対して複数のプロファイルセットが作成され、前記色変換設定方法は、前記ステップ（ｂ）の前に、前記ステップ（ａ）において作成された複数のプロファイルセットの中から、前記色設定情報に含めるべき複数のプロファイルセットについてのユーザによる選択を受付けるステップ（ｄ）をさらに有し、前記ステップ（ｂ）において、前記ステップ（ｄ）において受付けられた複数のプロファイルセットを含む前記色設定情報が作成されることを特徴とする上記（８）に記載の色変換設定方法。
【００１７】
（１０）前記ステップ（ｄ）は、前記ステップ（ａ）において作成された複数のプロファイルセットの中から、共通の色変換特性を有するプロファイルセットを抽出するステップ（ｄ１）と、前記ステップ（ｄ１）において抽出されたプロファイルセットの中から、前記色設定情報に含まれるべきプロファイルセットについての前記ユーザによる選択を受付けるステップ（ｄ２）と、を有することを特徴とする上記（９）に記載の色変換設定方法。
【００１８】
（１１）前記プロファイルセットは、ＲＧＢ形式の画像データの色変換処理に適用される色変換プロファイルであるＲＧＢプロファイルと、ＣＭＹＫ形式の画像データの色変換処理に適用される色変換プロファイルであるＣＭＹＫプロファイルと、前記ＲＧＢプロファイルまたはＣＭＹＫプロファイルを適用して処理された画像データの色変換処理に適用される色変換プロファイルであるデスティネーションプロファイルと、を含み、前記ステップ（ｄ１）において、前記複数のプロファイルセットの中から、同一の変換データを有するＲＧＢプロファイルおよびＣＭＹＫプロファイルを含むプロファイルセットが抽出されることを特徴とする上記（１０）に記載の色変換設定方法。
【００１９】
（１２）前記プロファイルセットは、デバイス間の直接的な色変換処理に適用される色変換プロファイルであるデバイスリンクプロファイルを含み、前記デバイスリンクプロファイルには、色を補正する補正処理の設定が可能であり、前記ステップ（ｄ１）において、前記複数のプロファイルセットの中から、同一の前記補正処理が設定されているデバイスリンクプロファイルを含むプロファイルセットが抽出されることを特徴とする上記（１０）に記載の色変換設定方法。
【００２０】
（１３）前記デバイスリンクプロファイルは、画像データを構成する複数種類のオブジェクト別に作成された複数のデバイスリンクプロファイルを含み、前記ステップ（ｄ１）において、前記オブジェト別に作成された複数のデバイスリンクプロファイルに対して前記同一の補正処理が設定されている前記プロファイルセットが抽出されることを特徴とする上記（１２）に記載の色変換設定方法。
【００２１】
（１４）用紙の種類と関連付けられた複数のプロファイルセットを含み色変換処理時に印刷ジョブ単位で使用される複数の色設定情報を記憶部に登録する手順（ａ）と、前記記憶部に登録されている前記複数の色設定情報のうち、ユーザにより指定された一の色設定情報を示す特定情報を含む印刷ジョブを受信する手順（ｂ）と、前記手順（ｂ）において受信された前記印刷ジョブに含まれる前記特定情報により特定される前記色設定情報を、前記記憶部から呼び出す手順（ｃ）と、前記手順（ｃ）において呼び出された前記色設定情報に含まれるプロファイルセットの色変換プロファイルを使用して、前記プロファイルセットが関連付けられた用紙に印刷される画像の画像データに対する色変換処理を実行する手順（ｄ）と、をコンピュータに実行させることを特徴とする色変換処理プログラム。
【００２２】
（１５）上記（１４）に記載の色変換処理プログラムを記録したコンピュータ読み取り可能な記録媒体。
【００２３】
（１６）用紙の種類と関連付けられた複数のプロファイルセットを含み色変換処理時に印刷ジョブ単位で使用される複数の色設定情報を登録している記憶部と、前記記憶部に登録されている前記複数の色設定情報のうち、ユーザにより指定された一の色設定情報を示す特定情報を含む印刷ジョブを受信する受信部と、前記受信部により受信された前記印刷ジョブに含まれる前記特定情報により特定される前記色設定情報を、前記記憶部から呼び出す呼出部と、前記呼出部により呼び出された前記色設定情報に含まれるプロファイルセットの色変換プロファイルを使用して、前記プロファイルセットが関連付けられた用紙に印刷される画像の画像データに対する色変換処理を実行する色変換部と、を有することを特徴とする色変換処理装置。
【発明の効果】
【００２４】
本発明によれば、用紙の種類と関連付けられた複数のプロファイルセットを含み色変換処理時に印刷ジョブ単位で使用される色設定情報が記憶部に登録されるため、複数種類の用紙を用いた印刷処理を実行する場合であっても、ユーザは、記憶部に登録されている複数の色設定情報の中から一の色設定情報を指定することにより、所望の色変換プロファイルを容易に設定することができる。
【図面の簡単な説明】
【００２５】
【図１】本発明の一実施形態にかかる印刷システムの全体構成を示すブロック図である。
【図２】図１に示されるクライアントＰＣの構成を示すブロック図である。
【図３】図２に示されるクライアントＰＣの記憶部の内容を説明するための図である。
【図４】図１に示されるプリンタコントローラの構成を示すブロック図である。
【図５】図４に示されるプリンタコントローラにおけるＲＩＰ部の動作を概念的に示すブロック図である。
【図６】図１に示されるプリンタの構成を示すブロック図である。
【図７】図６に示されるプリンタにおける印刷部の構成を模式的に示す図である。
【図８】図１に示されるクライアントＰＣにおいて実行される設定処理を説明するためのフローチャートである。
【図９】図１に示される印刷システムの動作を説明するための図である。
【図１０】図１に示されるクライアントＰＣにおいて実行される印刷処理を説明するためのフローチャートである。
【図１１】図８のステップＳ１０４に示されるカラーコンフィギュレーション作成処理を説明するためのフローチャートである。
【図１２】図１１のステップＳ３０３に示される第１プロファイルセット表示処理を説明するためのフローチャートである。
【図１３】図１１のステップＳ３０４に示される第２プロファイルセット表示処理を説明するためのフローチャートである。
【図１４】図１に示されるプリンタコントローラにおいて実行される画像データ作成処理を説明するためのフローチャートである。
【図１５】印刷データの一例を示す図である。
【発明を実施するための形態】
【００２６】
以下、図面を参照して、本発明の実施形態を詳細に説明する。
【００２７】
図１は、本発明の一実施形態にかかる印刷システムの全体構成を示すブロック図である。図１に示されるとおり、本実施形態の印刷システムは、クライアントＰＣ１と、プリンタコントローラ２と、プリンタ３とを備えている。
【００２８】
クライアントＰＣ１とプリンタコントローラ２とは、ネットワーク４を介して相互に通信可能に接続されている。ネットワーク４は、イーサネット（登録商標）、トークンリング、ＦＤＤＩ等の規格によりコンピュータやネットワーク機器同士を接続したＬＡＮ、あるいはＬＡＮ同士を専用線で接続したＷＡＮ等からなる。プリンタコントローラ２とプリンタ３とはそれぞれ、たとえば、ＩＥＥＥ１３９４シリアルバス、ＵＳＢ（Ｕｎｉｖｅｒｓａｌ  Ｓｅｒｉａｌ  Ｂｕｓ）等の専用インタフェース用バスを介して接続されている。ただし、プリンタコントローラ２とプリンタ３とはネットワーク４を介して接続されていてもよい。なお、ネットワーク４に接続される機器の種類および台数は、図１に示す例に限定されない。
【００２９】
図２は、図１に示されるクライアントＰＣの構成を示すブロック図である。
【００３０】
クライアントＰＣ１は、制御部１１、記憶部１２、表示部１３、入力部１４、およびネットワークインタフェース１５を備えており、これらは信号をやり取りするためのバス１６を介して相互に接続されている。
【００３１】
制御部１１はＣＰＵであり、プログラムにしたがって上記各部の制御や各種の演算処理を行う。記憶部１２は、予め各種プログラムや各種データを格納しておくＲＯＭ、作業領域として一時的にプログラムやデータを記憶するＲＡＭ、オペレーティングシステムを含む各種プログラムや各種データを格納するハードディスク等からなる。
【００３２】
表示部１３は、たとえば液晶ディスプレイであり、各種の情報を表示する。入力部１４は、マウス等のポインティングデバイスやキーボードを含み、各種の入力を行うために使用される。
【００３３】
ネットワークインタフェース１５は、外部機器と通信するためのインタフェースであり、イーサネット（登録商標）、トークンリング、ＦＤＤＩ等の規格によるネットワークインタフェース、ＵＳＢ、ＩＥＥＥ１３９４等のシリアルインタフェース、ＳＣＳＩ、ＩＥＥＥ１２８４等のパラレルインタフェース、ＢＬＵＥＴＯＯＴＨ（登録商標）、ＩＥＥＥ８０２.１１、ＨｏｍｅＲＦ、ＩｒＤＡ等の無線通信インタフェース、電話回線に接続するための電話回線インタフェース等を利用することができる。
【００３４】
図３は、図２に示されるクライアントＰＣの記憶部の内容を説明するための図である。図３に示されるとおり、クライアントＰＣ１の記憶部１２には、オペレーティングシステムと、文書ファイルを作成するための文書作成アプリケーションと、文書ファイルをプリンタコントローラ２が解釈可能なページ記述言語（ＰＤＬ：Ｐａｇｅ  Ｄｅｓｃｒｉｐｔｉｏｎ  Ｌａｎｇｕａｇｅ）で記述された印刷データに変換するためのプリンタドライバと、色変換プロファイル、プロファイルセット、およびカラーコンフィギュレーションを作成するためのプロファイル作成／管理アプリケーションと、がインストールされている。なお、本明細書では、ＰＤＦ（Ｐｏｒｔａｂｌｅ  Ｄｏｃｕｍｅｎｔ  Ｆｏｒｍａｔ）の文書ファイルも、ＰＤＬで記述された印刷データの一つとして扱う。
【００３５】
図４は、図１に示されるプリンタコントローラの構成を示すブロック図である。
【００３６】
プリンタコントローラ２は、制御部２１、記憶部２２、ＲＩＰ部２３、データ解析部２４、ネットワークインタフェース２５、およびプリンタインタフェース２６を備えており、これらは信号をやり取りするためのバス２７を介して相互に接続されている。なお、プリンタコントローラ２の上記各部のうち、クライアントＰＣ１の上記各部と同様の機能を有する部分については、説明の重複を避けるためその説明を省略する。
【００３７】
ＲＩＰ部２３は、クライアントＰＣ１から受信した印刷データをビットマップ形式の画像データに展開するラスタライズ処理を実行する。データ解析部２４は、印刷データの処理方法を解析する。プリンタインタフェース２６は、ローカル接続されたプリンタ３と通信するためのインタフェースである。
【００３８】
図５は、図４に示されるプリンタコントローラにおけるＲＩＰ部の動作を概念的に示すブロック図である。図５に示されるとおり、ＲＩＰ部２３は、ラスタライズ部、ＣＭＭ（Ｃｏｌｏｒ  Ｍａｎａｇｅｍｅｎｔ  Ｍｏｄｕｌｅ）、濃度補正部、およびスクリーン処理部を備える。クライアントＰＣ１から受信された印刷ジョブに含まれる印刷データ（ＰＤＬデータ）は、ラスタライズ部においてラスタライズ処理されることにより、ビットマップ形式の画像データが生成される。ラスタライズ部において生成された画像データに対して、印刷ジョブで指定された色変換プロファイルを使用してＣＭＭにより色変換処理が実行される。色変換された画像データは、濃度補正処理およびスクリーン処理が順次に実行され、その結果生成された画像データがプリンタ３に送信される。
【００３９】
図６は、図１に示されるプリンタの構成を示すブロック図である。
【００４０】
プリンタ３は、制御部３１、記憶部３２、操作パネル部３３、画像読取部３４、印刷部３５、およびコントローラインタフェース３６を備えており、これらは信号をやり取りするためのバス３７を介して相互に接続されている。なお、プリンタ３の上記各部のうち、クライアントＰＣ１の上記各部と同様の機能を有する部分については、説明の重複を避けるためその説明を省略する。
【００４１】
記憶部３２には、プリンタコントローラ２から受信したビットマップ形式の画像データに基づいて行われる印刷処理のプログラムが格納されている。操作パネル部３３は、タッチパネル、テンキー、スタートボタン、ストップボタン等を備えており、各種情報の表示および各種指示の入力に使用される。
【００４２】
画像読取部３４は、原稿台の所定の読取位置にセットされた原稿、またはＡＤＦ（Ａｕｔｏ  Ｄｏｃｕｍｅｎｔ  Ｆｅｅｄｅｒ：自動原稿搬送装置）により所定の読取位置に搬送された原稿に対して蛍光ランプ等の光源から光を照射し、その反射光をＣＣＤイメージセンサやＣＭＯＳイメージセンサ等の受光素子でスキャン（走査）することで原稿画像のデジタルデータを生成する。
【００４３】
印刷部３５は、電子写真式プロセス等の周知の作像プロセスを用いて、プリンタコントローラ２から受信した画像データに基づく画像を用紙等の記録媒体に印刷する。コントローラインタフェース３６は、ローカル接続されたプリンタコントローラ２と通信するためのインタフェースである。
【００４４】
図７は、図６に示されるプリンタにおける印刷部の構成を模式的に示す図である。
【００４５】
印刷部３５は、用紙等の記録媒体を供給する給紙ユニット５０、記録媒体に画像を形成する画像形成ユニット４０、および用紙が排出される排紙ユニット６０を有している。また、印刷部３５は、用紙の表裏を反転させるための反転機構部７０を備えている。
【００４６】
印刷部３５の画像形成ユニット４０は、矢印方向に回転する感光体ドラム４１、帯電装置４２、露光装置４３、現像装置４４、中間転写ベルト４５、清掃装置４６、および定着装置４７を有している。感光体ドラム４１の表面が帯電装置４２により一様に帯電された後、露光装置４３よりレーザを照射することにより、感光体ドラム４１の表面に静電潜像が作成される。静電潜像は感光体ドラム４１の回転に伴い、トナーが感光体ドラム４１上の静電潜像に付着して静電潜像が顕像化される。現像装置４４は、シアン（Ｃ）、マゼンタ（Ｍ）、イエロー（Ｙ）、ブラック（Ｋ）の各色の現像ローラ４８を有しており、顕像化された各色のトナー画像は、転写部４９まで搬送されて順次中間転写ベルト４５上に転移されて重ね合わされ、重ね合わされたカラーの画像が、給紙ユニット５０から搬送されてきた用紙に転写される。用紙上のトナー画像は、定着装置４７で定着されて、排紙ユニット６０に排出される。
【００４７】
給紙ユニット５０は、複数の給紙トレイ５１〜５４を備えている。給紙トレイ５１〜５３には、異なる種類の用紙が備えられる。給紙トレイ５１〜５３には、たとえば、コート紙、普通紙、および再生紙がそれぞれ備えられる。給紙トレイ５４は手差し給紙トレイである。一方、排紙ユニット６０は、複数の排紙トレイ６１〜６４を備えている。排紙ユニット６０は、搬送されてきた用紙に対してパンチ穴開け処理、ステープル綴じ処理等のフィニッシング処理を施す後処理部を備えていてもよい。
【００４８】
なお、クライアントＰＣ１、プリンタコントローラ２、およびプリンタ３は、それぞれ上述した構成要素以外の構成要素を含んでいてもよく、あるいは、上述した構成要素のうちの一部が含まれていなくてもよい。
【００４９】
以上のとおり構成される本実施形態の印刷システムでは、複数種類の用紙を用いる印刷処理において用紙単位の適切な色変換処理を実行するために、印刷ジョブ単位の色設定情報であるカラーコンフィギュレーションが使用される。以下、図８〜図１５を参照して、本実施形態の印刷システムの動作について説明する。
【００５０】
まず、図８〜図１０を参照して、本実施形態のクライアントＰＣ１の動作について説明する。
【００５１】
図８は、図１に示されるクライアントＰＣにおいて実行される設定処理を説明するためのフローチャートである。なお、図８のフローチャートにより示されるアルゴリズムは、クライアントＰＣ１の記憶部１２にプログラムとして記憶されており、制御部１１によって実行される。
【００５２】
図８に示されるとおり、本実施形態の設定処理では、まず、プロファイル作成／管理アプリケーションが起動される（ステップＳ１０１）。本実施形態では、ユーザ操作によりプロファイル作成／管理アプリケーションが起動され、表示部１３にＧＵＩ画面が表示される。
【００５３】
次に、色変換プロファイルが作成される（ステップＳ１０２）。本実施形態では、ユーザ操作により、ＲＧＢソースプロファイル、ＣＭＹＫターゲットプロファイル、ＣＭＹＫデスティネーションプロファイル、ＲＧＢ−ＣＭＹＫデバイスリンクプロファイル、およびＣＭＹＫ−ＣＭＹＫデバイスリンクプロファイルが作成される。ここで、ＲＧＢソースプロファイルは、ＲＧＢ形式の画像データの色変換処理に使用される色変換プロファイルであり、ＣＭＹＫターゲットプロファイルは、ＣＭＹＫ形式の画像データの色変換処理に使用される色変換プロファイルである。ＣＭＹＫデスティネーションプロファイルは、ＲＧＢソースプロファイルまたはＣＭＹＫターゲットプロファイルを使用して処理された画像データの色変換処理に使用される色変換プロファイルである。ＲＧＢ−ＣＭＹＫデバイスリンクプロファイルは、ＲＧＢ形式の画像データの色変換処理に使用される色変換プロファイルであり、入力デバイスおよび出力デバイス間の直接的な色変換処理を可能とする。ＣＭＹＫ−ＣＭＹＫデバイスリンクプロファイルは、ＣＭＹＫ形式の画像データの色変換処理に使用される色変換プロファイルであり、入力デバイスおよび出力デバイス間の直接的な色変換処理を可能とする。ＲＧＢ−ＣＭＹＫデバイスリンクプロファイルおよびＣＭＹＫ−ＣＭＹＫデバイスリンクプロファイルは、テキストオブジェクト（Ｔｅｘｔ）、図形オブジェクト（Ｇｒａｐｈｉｃ）、および写真オブジェクト（Ｉｍａｇｅ）毎にそれぞれ作成される。なお、上記９種類の色変換プロファイル自体は、色変換テーブルを有する一般的な色変換プロファイルであるため、詳細な説明は省略する。また、色変換プロファイルは、ユーザ操作により作成されることなく、予め作成されている色変換プロファイルがユーザ操作により選択されてもよい。
【００５４】
次に、プロファイルセットが作成される（ステップＳ１０３）。本実施形態では、ステップＳ１０２に示す処理で作成された９種類の色変換プロファイルが、ユーザ操作により指定される用紙の種類（たとえば、コート紙）と関連付けられ、プロファイルセットが作成される。作成されたプロファイルセットは、記憶部１２に記憶される。ステップＳ１０２およびステップＳ１０３に示す処理が複数回繰り返されることにより、複数のプロファイルセットが作成される。
【００５５】
図９は、図１に示される印刷システムの動作を説明するための図である。図９に示されるとおり、本実施形態の設定処理では、まず、９種類の色変換プロファイルが作成される。そして、９種類の色変換プロファイルがまとめられ、用紙の種類（たとえば、コート紙）と関連付けられたプロファイルセットが作成される。図９では、普通紙と関連付けられたプロファイルセット１、コート紙と関連付けられたプロファイルセット２、および再生紙と関連付けられたプロファイルセット３が作成される。
【００５６】
なお、プロファイルセットは、同一の種類の用紙に対しても複数作成される。たとえば、コート紙に関連付けられたプロファイルセット１として、プロファイルセット１ａとプロファイルセット１ｂとが作成され得る。プロファイルセット１ａとプロファイルセット１ｂとは、異なる色変換テーブルを有する色変換プロファイルを含む。たとえば、プロファイルセット１ａおよびプロファイルセット１ｂは、「ｓＲＧＢ」という名称のＲＧＢソースプロファイルおよび「ＡｄｏｂｅＲＧＢ」という名称のＲＧＢソースプロファイルをそれぞれ含み、ＲＧＢソースプロファイル「ｓＲＧＢ」と、ＲＧＢソースプロファイル「ＡｄｏｂｅＲＧＢ」とは、互いに異なる色変換テーブルを有する。
【００５７】
また、本明細書では、重量が異なる同一の種類の用紙も異なる種類の用紙として扱い、たとえば、重量の異なる２種類の普通紙（厚紙と薄紙）に対しても、異なるプロファイルセットが作成され得る。
【００５８】
次に、カラーコンフィギュレーションが作成される（ステップＳ１０４）。本実施形態では、ステップＳ１０３に示す処理で作成された複数のプロファイルセットの中から、ユーザ操作により少なくとも一つのプロファイルセットが選択されることにより、カラーコンフィギュレーションが作成される。たとえば、図９では、普通紙と関連付けられたプロファイルセット１と、コート紙と関連付けられたプロファイルセット２の２つのプロファイルセットを含むカラーコンフィギュレーションが作成される。カラーコンフィギュレーションには、印刷ジョブ単位の色変換設定が含まれ得る。ステップＳ１０４に示されるカラーコンフィギュレーション作成処理の詳細については後述する。
【００５９】
次に、カラーコンフィギュレーションが登録される（ステップＳ１０５）。本実施形態では、ステップＳ１０４に示す処理で作成されたカラーコンフィギュレーションが、プリンタコントローラ２の記憶部２２に登録される。このとき、カラーコンフィギュレーションには、名称（たとえば、ＪＡＰＡＮＣＯＬＯＲ）が付与される。
【００６０】
以上のとおり、図８に示されるフローチャートの処理によれば、用紙の種類と関連付けられた複数のプロファイルセットが作成され、複数のプロファイルセットがまとめられてカラーコンフィギュレーションが作成される。作成されたカラーコンフィギュレーションは、プリンタコントローラ２の記憶部２２に登録される。そして、上記処理が複数回繰り返されることにより、複数のカラーコンフィギュレーションが作成され、プリンタコントローラ２の記憶部２２には、複数のカラーコンフィギュレーションが登録される。
【００６１】
次に、図１０を参照して、カラーコンフィギュレーションを使用した印刷処理について説明する。
【００６２】
図１０は、図１に示されるクライアントＰＣにおいて実行される印刷処理を説明するためのフローチャートである。なお、図１０のフローチャートにより示されるアルゴリズムは、クライアントＰＣ１の記憶部１２にプログラムとして記憶されており、制御部１１によって実行される。
【００６３】
図１０に示されるとおり、本実施形態の印刷処理では、まず、プリンタドライバが起動される（ステップＳ２０１）。たとえば、文書作成アプリケーションにおけるユーザ操作による印刷指示に応じてプリンタドライバが起動され、表示部１３に印刷設定画面が表示される。
【００６４】
次に、印刷設定が受け付けられる（ステップＳ２０２）。本実施形態では、色変換処理に使用されるカラーコンフィギュレーションの名称と、印刷原稿のページ毎の用紙の種類とが受付けられる。たとえば、プリンタコントローラ２の記憶部２２に登録されている複数のカラーコンフィギュレーションの一覧が印刷設定画面に表示され、ユーザ操作により一のカラーコンフィギュレーションが選択されることによって、カラーコンフィギュレーションが指定される。図９では、カラーコンフィギュレーションの指定とともに、１ページ目の画像が印刷される用紙の種類として「コート紙」が指定され、２ページ目以降の画像が印刷される用紙の種類として「普通紙」が指定される。
【００６５】
次に、印刷ジョブが送信される（ステップＳ２０３）。本実施形態では、カラーコンフィギュレーション設定情報、ページ単位設定情報、および用紙種類設定情報を含む印刷ジョブが、プリンタコントローラ２に送信される。印刷ジョブを受信したプリンタコントローラ２では、上記カラーコンフィギュレーション設定情報により特定されるカラーコンフィギュレーションが呼び出され、カラーコンフィギュレーション内の色変換プロファイルを使用して、ページ単位で適切な色変換処理が実行される。たとえば、第１ページの画像データに対しては、コート紙に関連付けられたプロファイルセット１に含まれる色変換プロファイルを使用して色変換処理が実行される。また、２ページ目以降の画像データに対しては、普通紙に関連付けられたプロファイルセット２に含まれる色変換プロファイルを使用して色変換処理が実行される。
【００６６】
以上のとおり、図１０に示されるフローチャートの処理によれば、ユーザによりカラーコンフィギュレーションとページ単位の用紙の種類とが指定され、印刷処理が実行される。このような構成によれば、ユーザは、複数種類の用紙を用いた印刷処理を実行する場合であっても、プリンタコントローラ２に登録されている複数のカラーコンフィギュレーションの中から一のカラーコンフィギュレーションを指定することにより、用紙の種類毎に色変換プロファイルを個別に設定することなく、所望の色変換プロファイルを容易に設定することができる。
【００６７】
次に、図１１を参照して、図８のステップＳ１０４に示されるカラーコンフィギュレーション作成処理について詳細に説明する。
【００６８】
図１１は、図８のステップＳ１０４に示されるカラーコンフィギュレーション作成処理を説明するためのフローチャートである。図１１に示されるとおり、本実施形態のカラーコンフィギュレーション作成処理では、まず、カラーコンフィギュレーションを作成する上でのユーザ設定が受付けられる（ステップＳ３０１）。本実施形態では、カラーコンフィギュレーションに含めるべき複数のプロファイルセットを選択する際の基準についてのユーザによる設定が受付けられる。
【００６９】
次に、プロファイルセットの色変換設定を揃えるか否かが判断される（ステップＳ３０２）。本実施形態では、ステップＳ３０１に示す処理で受付けられたユーザ設定にしたがって、プロファイルセットに含まれるＣＭＹＫ−ＣＭＹＫデバイスリンクプロファイルにおける色の補正処理（ベタ保持処理および中間にごり除去処理）についての設定を揃えるか否かが判断される。
【００７０】
プロファイルセットの色変換設定を揃えないと判断される場合（ステップＳ３０２：ＮＯ）、同一の色変換テーブルを有するＲＧＢソースプロファイルおよびＣＭＹＫターゲットプロファイルを含むプロファイルセットの一覧を表示する第１プロファイルセット表示処理が実行される（ステップＳ３０３）。ステップＳ３０３に示される第１プロファイルセット表示処理についての詳細な説明は後述する。
【００７１】
一方、プロファイルセットの色変換設定を揃えると判断される場合（ステップＳ３０２：ＹＥＳ）、同一の色変換設定が設定されているＣＭＹＫ−ＣＭＹＫデバイスリンクプロファイルを含むプロファイルセットの一覧を表示する第２プロファイルセット表示処理が実行される（ステップＳ３０４）。ステップＳ３０４に示される第２プロファイルセット表示処理についての詳細な説明は後述する。
【００７２】
そして、プロファイルセットの一覧から、ユーザ操作によるプロファイルセットの選択が受付けられる（ステップＳ３０５）。本実施形態では、ステップＳ３０３またはＳ３０４に示す処理で表示されたプロファイルセットの一覧から、カラーコンフィギュレーションに含めるべきプロファイルセットについてのユーザによる選択が受付けられる。その結果、用紙の種類に関連付けられた所望のプロファイルセットを含むカラーコンフィギュレーションが作成される。このとき、代替色使用およびスポットカラー等の印刷ジョブ単位の色変換設定が設定され得る。
【００７３】
以上のとおり、図１１に示されるフローチャートの処理によれば、まず、ユーザ設定にしたがって、プロファイルセットの一覧がＧＵＩ画面に表示される。そして、ＧＵＩ画面に表示される複数のプロファイルセットの一覧の中から、ユーザが所望のプロファイルセットを選択することにより、カラーコンフィギュレーションが作成される。
【００７４】
図１２は、図１１のステップＳ３０３に示される第１プロファイルセット表示処理を説明するためのフローチャートである。
【００７５】
図１２に示されるとおり、本実施形態の第１プロファイルセット表示処理では、まず、ＲＧＢソースプロファイルおよびＣＭＹＫターゲットプロファイルの名称が受付けられる（ステップＳ４０１）。本実施形態では、ユーザ操作により入力されたＲＧＢソースプロファイルおよびＣＭＹＫターゲットプロファイルの名称が受付けられる。たとえば、ソースプロファイルの名称として「ｓＲＧＢ」が受付けられ、ＣＭＹＫターゲットプロファイルの名称として「ＪａｐａｎＣｏｌｏｒ」が受付けられる。
【００７６】
次に、複数のプロファイルセットの中から一のプロファイルセットが選択され、選択されたプロファイルセットから、ＲＧＢソースプロファイルおよびＣＭＹＫターゲットプロファイルが抽出される（ステップＳ４０２）。本実施形態では、図８に示されるフローチャートの処理で作成された複数のプロファイルセットの中から一のプロファイルセットが選択され、選択されたプロファイルセットに含まれるＲＧＢソースプロファイルおよびＣＭＹＫターゲットプロファイルが抽出される。
【００７７】
次に、抽出されたＲＧＢソースプロファイルが、指定されたＲＧＢソースプロファイルと同じであるか否かが判断される（ステップＳ４０３）。本実施形態では、たとえば、ステップＳ４０２に示す処理で抽出されたＲＧＢソースプロファイルの名称が、ステップＳ４０１に示す処理で受付けられたＲＧＢソースプロファイルの名称「ｓＲＧＢ」と同じであるか否かが判断される。なお、名称が同じＲＧＢソースプロファイルは、同一の色変換テーブルを有する。
【００７８】
抽出されたＲＧＢソースプロファイルが、指定されたＲＧＢソースプロファイルと同じでないと判断される場合（ステップＳ４０３：ＮＯ）、ステップＳ４０６以下の処理に移行する。一方、抽出されたＲＧＢソースプロファイルが、指定されたＲＧＢソースプロファイルと同じであると判断される場合（ステップＳ４０３：ＹＥＳ）、抽出されたＣＭＹＫターゲットプロファイルが、指定されたＣＭＹＫターゲットプロファイルと同じであるか否かが判断される（ステップＳ４０４）。本実施形態では、たとえば、ステップＳ４０２に示す処理で抽出されたＣＭＹＫターゲットプロファイルの名称が、ステップＳ４０１に示す処理で受付けられたＣＭＹＫターゲットプロファイルの名称「ＪａｐａｎＣｏｌｏｒ」と同じであるか否かが判断される。なお、名称が同じＣＭＹＫターゲットプロファイルは、同一の色変換テーブルを有する。
【００７９】
抽出されたＣＭＹＫターゲットプロファイルが、指定されたＣＭＹＫターゲットプロファイルと同じでないと判断される場合（ステップＳ４０４：ＮＯ）、ステップＳ４０６以下の処理に移行する。一方、抽出されたＣＭＹＫターゲットプロファイルが、指定されたＣＭＹＫターゲットプロファイルと同じであると判断される場合（ステップＳ４０４：ＹＥＳ）、プロファイルセットがＧＵＩ画面に表示される（ステップＳ４０５）。本実施形態では、ステップＳ４０２に示す処理で選択された一のプロファイルセットが、カラーコンフィギュレーションに含まれるプロファイルセットの候補として、ＧＵＩ画面に表示される。
【００８０】
次に、すべてのプロファイルセットに対して確認が終了したか否かが判断される（ステップＳ４０６）。すべてのプロファイルセットに対して確認が終了していないと判断される場合（ステップＳ４０６：ＮＯ）、すべてのプロファイルセットに対して確認が終了するまで、ステップＳ４０２以下の処理が繰り返される。一方、すべてのプロファイルセットに対して確認が終了したと判断される場合（ステップＳ４０６：ＹＥＳ）、処理が終了される。
【００８１】
以上のとおり、図１２に示されるフローチャートの処理によれば、複数のプロファイルセットの中から、ユーザにより指定されたＲＧＢソースプロファイルおよびＣＭＹＫターゲットプロファイルを含むプロファイルセットが抽出され、プロファイルセットの一覧がＧＵＩ画面に表示される。したがって、プロファイルセットの一覧から所望のプロファイルセットを選択することにより、ユーザは、同一の色変換テーブルを有するＲＧＢソースプロファイルおよびＣＭＹＫターゲットプロファイルを含むプロファイルセットからなるカラーコンフィギュレーションを容易に作成することができる。
【００８２】
次に、図１３を参照して、図１１のステップＳ３０４に示される第２プロファイルセット表示処理について説明する。
【００８３】
図１３は、図１１のステップＳ３０４に示される第２プロファイルセット表示処理を説明するためのフローチャートである。図１３に示されるとおり、本実施形態の第２プロファイルセット表示処理では、まず、一のプロファイルセットの名称が受付けられる（ステップＳ５０１）。本実施形態では、ＧＵＩ画面を通じてユーザ操作により入力された一のプロファイルセットの名称が受付けられる。
【００８４】
次に、複数のプロファイルセットの中から一のプロファイルセットが選択され、選択されたプロファイルセットのデバイスリンクプロファイルの色変換設定が抽出される（ステップＳ５０２）。本実施形態では、図８に示されるフローチャートの処理で作成された複数のプロファイルセットの中から一のプロファイルセットが選択され、プロファイルセットに含まれるＣＭＹＫ−ＣＭＹＫデバイスリンクプロファイルのベタ保持処理および中間にごり除去処理についての設定（ＯＮ／ＯＦＦ）が抽出される。
【００８５】
次に、ユーザにより指定されたプロファイルセットに含まれるデバイスリンクプロファイルの色変換設定がオブジェクト別に設定されているか否かが判断される（ステップＳ５０３）。本実施形態では、ステップＳ５０１に示す処理で名称が受付けられたプロファイルセットに含まれる３種類のデバイスリンクプロファイルのベタ保持処理および中間にごり除去処理についての設定（ＯＮ／ＯＦＦ）が互いに同じであるか否かが判断される。具体的には、３種類のデバイスリンクプロファイルの色変換設定を揃えるか否かについての設定（ＯＮ／ＯＦＦ）を判定することにより、３種類のデバイスリンクプロファイルの色変換設定がオブジェクト別に設定されているか否かが判断される。
【００８６】
デバイスリンクプロファイルの色変換設定がオブジェクト別に設定されていると判断される場合（ステップＳ５０３：ＹＥＳ）、ベタ保持処理についての設定が同じであるか否かが判断される（ステップＳ５０４）。本実施形態では、たとえば、ステップＳ５０２に示す処理で選択されたプロファイルセットに含まれるテキストオブジェクト用のＣＭＹＫ−ＣＭＹＫデバイスリンクプロファイルのベタ保持処理の設定が、ステップＳ５０１に示す処理で名称が受付けられたプロファイルセットに含まれるテキストオブジェクト用のＣＭＹＫ−ＣＭＹＫデバイスリンクプロファイルのベタ保持処理の設定と同じであるか否かが判断される。なお、ベタ保持処理がＯＮに設定されている場合、たとえば、ＣＭＹＫ形式の画像データにおけるＣ０％、Ｍ０％、Ｙ０％、およびＫ１００％の黒色の文字オブジェクトが、Ｋ単色のベタ部に維持されたまま色変換処理が実行される。
【００８７】
ベタ保持処理についての設定が同じでないと判断される場合（ステップＳ５０４：ＮＯ）、ステップＳ５１０以下の処理に移行する。一方、ベタ保持処理についての設定が同じであると判断される場合（ステップＳ５０４：ＹＥＳ）、中間にごり除去処理についての設定が同じであるか否かが判断される（ステップＳ５０５）。本実施形態では、たとえば、ステップＳ５０２に示す処理で選択されたプロファイルセットに含まれるテキストオブジェクト用のＣＭＹＫ−ＣＭＹＫデバイスリンクプロファイルの中間にごり除去処理についての設定が、ステップＳ５０１に示す処理で名称が受付けられたプロファイルセットに含まれるテキストオブジェクト用のＣＭＹＫ−ＣＭＹＫデバイスリンクプロファイルの中間にごり除去処理についての設定と同じであるか否かが判断される。なお、中間にごり除去処理がＯＮに設定されている場合、たとえば、ＣＭＹＫ画像データにおけるＣ７０％、Ｍ０％、Ｙ０％、Ｋ０％のＣ単色のオブジェクトが、Ｃ単色に維持されたまま色変換処理が実行される。
【００８８】
中間にごり除去処理についての設定が同じでないと判断される場合（ステップＳ５０５：ＮＯ）、ステップＳ５１０以下の処理に移行する。一方、中間にごり除去処理についての設定が同じであると判断される場合（ステップＳ５０５：ＹＥＳ）、３種類のデバイスリンクプロファイルに対して比較が終了したか否かが判断される（ステップＳ５０６）。本実施形態では、オブジェクト別に作成された３種類のＣＭＹＫ−ＣＭＹＫデバイスリンクプロファイルに対して、色変換設定の比較が終了したか否かが判断される。
【００８９】
３種類のデバイスリンクプロファイルに対して比較が終了していないと判断される場合（ステップＳ５０６：ＮＯ）、３種類のＣＭＹＫ−ＣＭＹＫデバイスリンクプロファイルに対して色変換設定の比較が終了するまで、ステップＳ５０４以下の処理が繰り返される。
【００９０】
一方、３種類のデバイスリンクプロファイルに対して比較が終了したと判断される場合（ステップＳ５０６：ＹＥＳ）、プロファイルセットがＧＵＩ画面に表示される（ステップＳ５０７）。本実施形態では、ステップＳ５０２に示す処理で選択された一のプロファイルセットが、カラーコンフィギュレーションに含まれるプロファイルセットの候補として、ＧＵＩ画面に表示される。
【００９１】
一方、ステップＳ５０３に示す処理で、デバイスリンクプロファイルの色変換設定がオブジェクト別に設定されていないと判断される場合（ステップＳ５０３：ＮＯ）、ベタ保持処理についての設定が同じであるか否かが判断される（ステップＳ５０８）。ベタ保持処理についての設定が同じでないと判断される場合（ステップＳ５０８：ＮＯ）、ステップＳ５１０以下の処理に移行する。一方、ベタ保持処理についての設定が同じであると判断される場合（ステップＳ５０８：ＹＥＳ）、中間にごり除去処理についての設定が同じであるか否かが判断される（ステップＳ５０９）。
【００９２】
中間にごり除去処理についての設定が同じでないと判断される場合（ステップＳ５０９：ＮＯ）、ステップＳ５１０以下の処理に移行する。一方、中間にごり除去処理についての設定が同じであると判断される場合（ステップＳ５０９：ＹＥＳ）、プロファイルセットがＧＵＩ画面に表示される（ステップＳ５０７）。
【００９３】
そして、すべてのプロファイルセットに対して確認が終了したか否かが判断される（ステップＳ５１０）。すべてのプロファイルセットに対して確認が終了していないと判断される場合（ステップＳ５１０：ＮＯ）、すべてのプロファイルセットに対して確認が終了するまで、ステップＳ５０２以下の処理が繰り返される。一方、すべてのプロファイルセットに対して確認が終了したと判断される場合（ステップＳ５１０：ＹＥＳ）、処理が終了される。
【００９４】
以上のとおり、図１３に示されるフローチャートの処理によれば、複数のプロファイルセットの中から、ユーザにより指定されたプロファイルセットと同一の色変換設定が設定されているＣＭＹＫ−ＣＭＹＫデバイスリンクプロファイルを含むプロファイルセットが抽出され、プロファイルセットの一覧がＧＵＩ画面に表示される。したがって、プロファイルセットの一覧から所望のプロファイルセットを選択することにより、ユーザは、オブジェクト別に、または、すべてのオブジェクトに対して同一の色変換設定が設定されているＣＭＹＫ−ＣＭＹＫデバイスリンクプロファイルを含むプロファイルセットからなるカラーコンフィギュレーションを容易に作成することができる。
【００９５】
なお、上述した実施形態では、ユーザにより一のプロファイルセットが指定され、指定されたプロファイルセットのデバイスリンクプロファイルと色変換設定が同一のデバイスリンクプロファイルを含むプロファイルセットがＧＵＩ画面に表示された。しかしながら、色変換設定が同一のデバイスリンクプロファイルを含むプロファイルセットの選択方法は、上記実施形態に限定されるものではなく、たとえば、ユーザにより色変換設定（たとえば、ベタ保持処理：ＯＦＦ、中間にごり除去処理：ＯＮ）が直接的に指定され、指定された色変換設定のデバイスリンクプロファイルを含むプロファイルセットの一覧がＧＵＩ画面に表示されてもよい。
【００９６】
また、本実施形態とは異なり、ＣＭＹＫ−ＣＭＹＫデバイスリンクプロファイルとＲＧＢ−ＣＭＹＫデバイスリンクプロファイルの両方のベタ保持処理の設定が揃えられたプロファイルセットの一覧がＧＵＩ画面に表示されてもよい。さらに、上記第１および第２プロファイルセット表示処理を組み合わせ、同一の色変換テーブルを有するＲＧＢソースプロファイルおよびＣＭＹＫターゲットプロファイルを含み、かつ、色変換設定が同一のデバイスリンクプロファイルを含むプロファイルセットの一覧をＧＵＩ画面に表示させ、これらの一覧から、カラーコンフィギュレーションが作成されてもよい。
【００９７】
次に、図１４および図１５を参照して、図１に示されるプリンタコントローラ２の動作について説明する。
【００９８】
図１４は、図１に示されるプリンタコントローラにおいて実行される画像データ作成処理を説明するためのフローチャートである。なお、図１４のフローチャートにより示されるアルゴリズムは、プリンタコントローラ２の記憶部２２にプログラムとして記憶されており、制御部２１によって実行される。
【００９９】
図１４に示されるとおり、本実施形態の画像データ作成処理では、まず、印刷ジョブが受信される（ステップＳ６０１）。本実施形態では、クライアントＰＣ１から送信された印刷ジョブが受信される。
【０１００】
次に、カラーコンフィギュレーション設定が検出される（ステップＳ６０２）。本実施形態では、印刷データが解析され、ユーザにより指定されたカラーコンフィギュレーションの名称が検出される。
【０１０１】
次に、ページ単位設定および用紙種類設定が検出される（ステップＳ６０３，Ｓ６０４）。本実施形態では、印刷データが解析され、ページ単位設定情報および用紙種類設定情報が検出される。
【０１０２】
図１５は、印刷データの一例を示す図である。図１５に示されるとおり、印刷データを解析することにより、ユーザにより指定されたカラーコンフィギュレーションの名称として「ＪＡＰＡＮＣＯＬＯＲ」が検出される。また、１ページ目を「コート紙」で出力し、２〜１０ページ目を「普通紙」で出力するという印刷設定が検出される。
【０１０３】
次に、指定されたカラーコンフィギュレーション内の色変換プロファイルが、ページ単位設定における用紙の種類の指定にしたがってＣＭＭにロードされる（ステップＳ６０５）。本実施形態では、まず、ステップＳ６０２に示す処理で取得された名称のカラーコンフィギュレーションが呼び出される。そして、カラーコンフィギュレーションに含まれるプロファイルセットの色変換プロファイルが、ステップＳ６０３およびステップＳ６０４に示す処理で検出されたページ単位の用紙の種類の指定にしたがって、ＣＭＭにロードされる。
【０１０４】
そして、ＣＭＭにロードされた色変換プロファイルを使用して、色変換処理が実行される（ステップＳ６０６）。たとえば、１ページ目の画像データに対しては、予めコート紙と関連付けられているプロファイルセットに含まれる色変換プロファイルを使用して色変換処理が実行され、２ページ目以降の画像データに対しては、予め普通紙と関連付けられているプロファイルセットに含まれる色変換プロファイルを使用して色変換処理が実行される。色変換処理が実行された画像データは、プリンタ３に送出される。
【０１０５】
次に、すべてのページの色変換処理が終了したか否かが判断される（ステップＳ６０７）。すべてのページの色変換処理が終了していないと判断される場合（ステップＳ６０７：ＮＯ）、すべてのページの色変換処理が終了するまで、ステップＳ６０５以下の処理が繰り返される。一方、すべてのページの色変換処理が終了したと判断される場合（ステップＳ６０７：ＹＥＳ）、処理が終了される。
【０１０６】
以上のとおり、図１４に示されるフローチャートの処理によれば、ユーザにより指定されたカラーコンフィギュレーションに含まれる色変換プロファイルが使用され、ページ単位で適切な色変換処理が実行される。その結果、複数種類の用紙を用いた印刷処理において、ページ毎に適切な色変換処理が実行され、望ましい印刷結果が得られる。
【０１０７】
そして、本実施形態の印刷システムによれば、複数種類の用紙を用いた印刷処理を実行する場合であっても、ユーザは、記憶部に登録されている複数のカラーコンフィギュレーションの中から一のカラーコンフィギュレーションを指定することにより、所望の色変換プロファイルを容易に設定することができる。
【０１０８】
また、本実施形態の印刷システムによれば、カラーコンフィギュレーションを作成する際、ユーザにより指定される基準にしたがってプロファイルセットが抽出されるため、共通の色変換特性を有するプロファイルセットを含むカラーコンフィギュレーションを、ユーザが容易に作成することができる。
【０１０９】
本発明は、上記した実施形態のみに限定されるものではなく、特許請求の範囲内において、種々改変することができる。
【０１１０】
たとえば、上記実施形態では、９種類の色変換プロファイルを含むプロファイルセットが作成された。しかしながら、プロファイルセットに含まれる色変換プロファイルの数は、９種類に限定されるものでなく、たとえば、ＲＧＢ−ＣＭＹＫデバイスリンクプロファイルのみが含まれてもよく、あるいは、ＲＧＢソースプロファイルとデスティネーションプロファイルの２つのみが含まれてもよい。
【０１１１】
また、上記実施形態では、デバイスリンクプロファイルにおけるベタ保持処理および中間にごり除去処理の設定に基づいて、カラーコンフィユレーションに含まれるプロファイルセットの候補が抽出された。しかしながら、色変換設定は、上記実施形態に限定されるものではなく、用紙を着色して出力する用紙シミュレーション処理等の設定が考慮されてもよい。
【０１１２】
また、上記実施形態では、色変換処理装置としてプリンタコントローラが例示されているが、本発明はこれに限定されるものではなく、ＭＦＰ（Ｍｕｌｔｉ−Ｆｕｎｃｔｉｏｎ  Ｐｅｒｉｐｈｅｒａｌ）にも適用可能である。
【０１１３】
本実施形態にかかる印刷システムにおける各種処理を行う手段および方法は、専用のハードウエア回路、またはプログラムされたコンピュータのいずれによっても実現することが可能である。上記プログラムは、たとえば、フレキシブルディスクおよびＣＤ−ＲＯＭ等のコンピュータ読み取り可能な記録媒体によって提供されてもよいし、インターネット等のネットワークを介してオンラインで提供されてもよい。この場合、コンピュータ読み取り可能な記録媒体に記録されたプログラムは、通常、ハードディスク等の記憶部に転送され記憶される。また、上記プログラムは、単独のアプリケーションソフトとして提供されてもよいし、印刷システムにおける装置の一機能としてその装置のソフトウエアに組み込まれてもよい。
【符号の説明】
【０１１４】
１  クライアントＰＣ、
１１，２１，３１  制御部、
１２，２２，３２  記憶部、
１３  表示部、
１４  入力部、
１５，２５  ネットワークインタフェース、
１６，２７，３７  バス、
２  プリンタコントローラ、
２３  ＲＩＰ部、
２４  データ解析部、
２６  プリンタインタフェース、
３  プリンタ、
３３  操作パネル部、
３４  画像読取部、
３５  印刷部、
３６  コントローラインタフェース、
４  ネットワーク。
【図１】
2010263368.tif 000003
【図２】
2010263368.tif 000004
【図３】
2010263368.tif 000005
【図４】
2010263368.tif 000006
【図５】
2010263368.tif 000007
【図６】
2010263368.tif 000008
【図７】
2010263368.tif 000009
【図８】
2010263368.tif 000010
【図９】
2010263368.tif 000011
【図１０】
2010263368.tif 000012
【図１１】
2010263368.tif 000013
【図１２】
2010263368.tif 000014
【図１３】
2010263368.tif 000015
【図１４】
2010263368.tif 000016
【図１５】
2010263368.tif 000017